(57)【要約】  人の腕などに巻いて取付ける本人証明ブレスレットは、水分との接触から装着者関係情報を保護するためにシール可能な窓を有する。ブレスレットは、上にある接着剤裏塗り透明カバーストリップと協働して情報担持ゾーンを構成する可撓性バンドを含む。最初の状態で、カバーストリップは、バンドにしっかりと接着された両端と、剥ぎ取り剥離フィルムによってバンドから分離された中央窓部分と、を有する。窓部分は、装着者関係情報を受け入れるべく、および剥離フィルムの剥離除去を容易にすべく、情報担持ゾーンを露出させるために、窓部分の一端で、例えば弱線に沿って引き剥がすことによって、バンドから持ち上げられて分離され、その後、ストリップ中央窓部分は、装着者関係情報の上にあるシールされた周囲部を構成し且つ装着者関係情報を保護する方法で、バンド上に接着して着座されるようになっている。【選択図】図６
2008538423.tif 000002
【特許請求の範囲】
【請求項１】
第１および第２の端部を有し、且つ一方の側に情報担持ゾーンを構成する、細長い可撓性バンドと、
接着剤裏塗りの、ほぼ透明なカバーストリップと、を有し、
該ストリップは、その両端間に可撓性中央窓部分を構成し、
前記ストリップの両端は、前記中央窓部分を前記情報担持ゾーンと上にある関係に位置決めするために、最初に前記情報担持ゾーンのほぼ両端で前記バンドに接着され、
前記中央窓部分は、該中央窓部分を前記バンドに対して上方に持ち上げて装着者関係情報を受け入れるべく前記情報担持ゾーンを露出させるために、前記バンドから分離できる一端を含み、
前記窓部分は、前記情報担持ゾーンの上にある位置に移動でき、前記バンド上にあり、装着者関係情報の周りに境界を定めるシールされた周囲部を構成するために、少なくとも前記窓部分の周囲部が、前記バンドに密封接着され、
前記バンドを閉ループ形態に保持するためのファスナー手段を有する、
ことを特徴とする本人証明ブレスレット。
【請求項２】
最初に前記中央窓部分を前記バンドから分離し、それによって、前記中央窓部分の前記バンド上の前記情報担持ゾーンとの接着を防止するために、前記中央窓部分によって担持される剥ぎ取り剥離フィルムを更に含み、
前記中央窓部分が前記バンドに対して上方に持ち上げられたときに、前記剥離フィルムは、前記中央窓部分からのアクセスおよび取り外しのために露出される、請求項１に記載の本人証明ブレスレット。
【請求項３】
前記中央窓部分の前記一端は、前記窓部分の一端を前記バンドに対して上方に持ち上げるために、前記バンドに接着された前記ストリップ端のうちの一端から分離できる、請求項１に記載の本人証明ブレスレット。
【請求項４】
前記バンドと前記カバーストリップの前記中央窓部分は、ほぼ水分不浸透性材料で形成される、請求項１に記載の本人証明ブレスレット。
【請求項５】
装着者関係情報は、人間の読める情報からなる、請求項１に記載の本人証明ブレスレット。
【請求項６】
装着者関係情報は、機械の読める情報からなる、請求項１に記載の本人証明ブレスレット。
【請求項７】
装着者関係情報は、ＲＦＩＤデバイスによって担持される、請求項１に記載の本人証明ブレスレット。
【請求項８】
装着者関係情報は、バーコード情報からなる、請求項１に記載の本人証明ブレスレット。
【請求項９】
装着者関係情報は、カード、タグあるいはラベルに付与され、前記カード、タグあるいはラベルは、前記バンドの前記情報担持ゾーン上に配置するためのサイズと形状を有する、請求項１に記載の本人証明ブレスレット。
【請求項１０】
前記中央窓部分のほぼ前記一端で前記カバーストリップに形成された弱線を更に含む、請求項３に記載の本人証明ブレスレット。
【請求項１１】
前記中央窓部分のほぼ反対側の端で前記カバーストリップに形成されたヒンジ線を更に含む、請求項１に記載の本人証明ブレスレット。
【請求項１２】
前記バンドの前記情報担持ゾーンは、前記ファスナー手段から独立している、請求項１に記載の本人証明ブレスレット。
【請求項１３】
前記ファスナー手段は、ほぼ前記バンドの前記第１および第２の少なくとも一端に取付けられた、少なくとも１つのファスナー部品からなる、請求項１に記載の本人証明ブレスレット。
【請求項１４】
複数の前記本人証明ブレスレットは、シート形態に組み立てられ、前記ブレスレット間の少なくとも１本の弱線に沿って、引き剥がし分離することによって、各々、前記シート形態から分離できる、請求項１に記載の本人証明ブレスレット。
【請求項１５】
複数の前記本人証明ブレスレットは、端と端とを突き合わせて組み立てられ、前記ブレスレット間の少なくとも１本の弱線に沿って、各々分離できる、請求項１に記載の本人証明ブレスレット。
【請求項１６】
ほぼ水分不浸透性材料で形成された細長い可撓性のバンドを有し、
前記バンドは、第１および第２の端部を有し、バンドの一方の側に情報担持ゾーンを構成し、
接着剤裏塗りの、ほぼ透明なカバーストリップを有し、
該ストリップは、ほぼ水分不浸透性材料で形成され、且つストリップの両端間に延びる可撓性中央窓部分を構成し、
前記ストリップの両端は、前記中央窓部分を前記情報担持ゾーンと上にある関係に位置決めするために、前記情報担持ゾーンのほぼ両端で前記バンドに接着されて、
前記バンドから前記中央窓部分を分離し、それによって前記バンドの前記情報担持ゾーンとの接着を防止するための、前記中央窓部分によって担持された剥ぎ取り剥離フィルムを有し、
前記中央窓部分は、装着者関係情報を受け入れるべく前記情報担持ゾーンを露出させるために、且つ前記中央窓部分から前記剥離フィルムへのアクセスおよび剥離フィルムの除去を容易にするために、前記窓部分を前記バンドに対して上方に持ち上げられるように、ほぼ前記中央窓部分の前記一端で前記カバーストリップに形成された弱線に沿って前記ストリップ端のうちの一端から分離できる一端を含み、
前記窓部分は、前記情報担持ゾーンの上にある位置に移動でき、装着者関係情報の周りに境界を定めるシールされた周囲部を構成するために、少なくとも前記窓部分の周囲部が、前記バンドに密封接着され、
前記バンドを、閉ループ形態に保持するためのファスナー手段を有する、
ことを特徴とする本人証明ブレスレット。
【請求項１７】
装着者関係情報は、本質的に人間の読める情報および機械の読める情報からなる群より選ばれる、請求項１６に記載の本人証明ブレスレット。
【請求項１８】
装着者関係情報は、ＲＦＩＤデバイスによって担持される、請求項１６に記載の本人証明ブレスレット。
【請求項１９】
装着者関係情報は、バーコード情報からなる、請求項１６に記載の本人証明ブレスレット。
【請求項２０】
装着者関係情報は、カード、タグあるいはラベルに付与され、前記カード、タグあるいはラベルは、前記バンドの前記情報担持ゾーン上に配置するためのサイズおよび形状を有する、請求項１６に記載の本人証明ブレスレット。
【請求項２１】
前記中央窓部分のほぼ反対側の端で前記カバーストリップに形成されたヒンジ線を更に含む、請求項１６に記載の本人証明ブレスレット。
【請求項２２】
前記バンドの前記情報担持ゾーンは、前記ファスナー手段から独立している、請求項１６に記載の本人証明ブレスレット。
【請求項２３】
接続関係に配列された、請求項１６に記載の複数の前記本人証明ブレスレットを含み、前記複数の本人証明ブレスレットの各々は、それらの間の少なくとも１本の弱線に沿って分離できるようになっている、シート形態。
【請求項２４】
端と端を突き合わせた接続関係に配列された、請求項１６に記載の複数の前記本人証明ブレスレットを含み、前記複数の本人証明ブレスレットの各々は、それらの間の弱線に沿って分離できるようになっている、供給リール。
【請求項２５】
第１および第２の端部を有し、且つ一方の側に情報担持ゾーンを構成する、細長い可撓性バンドと、
透明なカバーストリップと、を有し、
該ストリップは、その両端間に可撓性中央窓部分を構成し、
前記ストリップの両端は、前記中央窓部分を前記情報担持ゾーンの上にある関係に位置決めするために、前記情報担持ゾーンのほぼ両端で前記バンドに接着され、
前記カバーストリップは、ほぼ前記中央窓部分と前記バンドに接着された前記ストリップ端のうちの一端との間に配置された弱線を含み、
前記中央窓部分は、装着者関係情報を受け入れるべく前記情報担持ゾーンを露出させるために、前記窓部分を前記バンドに対して上方に持ち上げられるように、前記１つのストリップ端から前記弱線に沿って分離でき、
前記窓部分は、前記情報担持ゾーンの上にある位置に移動でき、且つ前記窓部分を、装着者関係情報の周りに境界を定める密封シールされた周囲部に沿って、前記バンドに密封接着するための接着手段を含む、
ことを特徴とする本人証明ブレスレット。
【請求項２６】
前記バンドを閉ループ形態に保持するためのファスナー手段を更に含む、請求項２５に記載の本人証明ブレスレット。
【請求項２７】
前記バンドおよび前記カバーストリップの前記中央窓部分は、ほぼ水分不浸透性材料で形成される、請求項２５に記載の本人証明ブレスレット。
【請求項２８】
装着者関係情報は、本質的に、人間の読める情報および機械の読める情報からなる群より選ばれる、請求項２５に記載の本人証明ブレスレット。
【請求項２９】
装着者関係情報は、ＲＦＩＤデバイスによって担持される、請求項２５に記載の本人証明ブレスレット。
【請求項３０】
装着者関係情報は、バーコード情報からなる、請求項２５に記載の本人証明ブレスレット。
【請求項３１】
装着者関係情報は、カード、タグあるいはラベルに付与され、前記カード、タグあるいはラベルは、前記バンドの前記情報担持ゾーン上に配置するためのサイズおよび形状を有する、請求項２５に記載の本人証明ブレスレット。
【請求項３２】
接続関係に配列された、請求項２５に記載の複数の前記本人証明ブレスレットを含み、前記複数の本人証明ブレスレットの各々は、それらの間の少なくとも１本の弱線に沿って分離できるようになっている、シート形態。
【請求項３３】
端と端を突き合わせた接続関係に配列された、請求項２５に記載の複数の前記本人証明ブレスレットを含み、前記複数の本人証明ブレスレットの各々は、それらの間の弱線に沿って分離できるようになっている、供給リール。
【請求項３４】
第１および第２の端部を有する細長い可撓性バンドと、一方の側に構成された情報担持ゾーンと、前記バンドを閉ループ形態に保持するためのファスナー手段と、を有する本人証明ブレスレットにおいて、情報担持ゾーン上の装着者関係情報を保護する方法であって、
両端間に可撓性中央窓部分を構成する、透明カバーストリップを準備するステップと、
カバーストリップのストリップ両端を、ほぼ前記情報担持ゾーンの両端でバンドに取付けて、中央窓部分を情報担持ゾーンの上にある関係に位置決めするステップと、
中央窓部分を、ストリップ両端のうちの一端で前記バンドに対して持ち上げて、情報担持ゾーンを露出させるステップと、
装着者関係情報を、バンド上の露出された情報担持ゾーンに付与するステップと、
窓部分を、情報担持ゾーンの上にある位置に戻し、そして窓部分を、バンドの情報担持ゾーンおよび装着者関係情報の周りに境界を定める密封シールされた周囲部に沿って、バンドに密封接着するステップと、を有する、
ことを特徴とする方法。
【請求項３５】
前記持ち上げるステップの前に、中央窓部分をバンドに取付けられたストリップ両端のうちの一端から分離するステップを更に含む、請求項３４に記載の方法。
【請求項３６】
前記ストリップ両端をバンドに取付けるステップは、接着剤で取付けるステップからなる、請求項３４に記載の方法。
【請求項３７】
カバーストリップは、透明接着剤で裏塗りされ、
最初に中央窓部分とバンドとの接着を防止するために、中央窓部分を剥離ストリップで最初に裏打ちし、前記持ち上げるステップの後に剥離ストリップを取り除くステップを更に含む、請求項３４に記載の方法。
【請求項３８】
中央窓部分とバンドに取付けられたストリップ両端のうちの一端との間で、カバーストリップに弱線を形成するステップを更に含み、前記分離するステップは、弱線に沿ってカバーストリップを切断するステップからなる、請求項３５に記載の方法。
【請求項３９】
中央窓部分と、バンドに取付けられたストリップの他端との間に、ヒンジ線を形成するステップを更に含む、請求項３４に記載の方法。
【請求項４０】
前記付与するステップは、装着者関係情報を情報担持ゾーンに、手で加えるステップからなる、請求項３４に記載の方法。
【請求項４１】
前記付与するステップは、装着者関係情報を、前記バンドの前記情報担持ゾーン上に配置するためのサイズおよび形状を有するカード、タグあるいはラベルに付与し、そして、カード、タグあるいはラベルをバンド上に配置するステップからなる、請求項３４に記載の方法。
【請求項４２】
一連の細長い本人証明ブレスレットを生産する方法であって、
生産経路に沿って、バンド形成材料の細長いウェブを搬送するステップと、
透明カバーストリップ形成材料の両端を、バンド形成材料のウェブ上に取付けるステップと、
バンド形成材料のウェブとカバーストリップ形成材料を、各々、細長い可撓性バンドに取付けられた両端を有する透明カバーストリップを有する、複数の細長い可撓性本人証明ブレスレットに小分けするステップと、を有し、
前記透明カバーストリップは、前記両端の間に形成された中央窓部分を更に含み、且つ前記バンドの情報担持ゾーンの上にあり、
前記小分けするステップは、隣接するブレスレット間に、少なくとも１本の弱線を形成するステップを含む、
ことを特徴とする方法。
【請求項４３】
前記複数の細長い可撓性ブレスレットは、横に並んで形成される、請求項４２に記載の方法。
【請求項４４】
前記複数の細長い可撓性ブレスレットは、端と端とを突き合わせて形成される、請求項４２に記載の方法。
【請求項４５】
透明カバーストリップ形成材料の両端は、前記バンド形成材料のウェブに接着して固定される、請求項４２に記載の方法。
【請求項４６】
カバーストリップ形成材料は、透明接着剤で裏塗りされ、最初にバンドとの接着を防止するために、カバーストリップ形成材料の両端間でカバーストリップ形成材料を剥離ストリップで最初に裏打ちするステップを更に含む、請求項４２に記載の方法。
【請求項４７】
カバーストリップ形成材料の両端のうちの一端にほぼ隣接して、カバーストリップ形成材料に、弱線を形成するステップを更に含む、請求項４２に記載の方法。
【発明の詳細な説明】
【技術分野】
【０００１】
本発明は、一般的に、特定の人あるいは物に取付けるための、および、特定のバンド装着者と関連した情報を担持するための、リストバンドなどのような本人証明具の改善に関する。より詳しくは、本発明は、装着者関係情報の人間のおよび／または機械の読取りを妨げ、あるいはこれに悪影響を及ぼすことがある長期間の水分などとの接触から、ブレスレットに加えられたあるいは担持された装着者関係情報を覆い、そして保護するためのシール可能な窓を有する改善された本人証明ブレスレットに関する。
【背景技術】
【０００２】
リストバンドなどのようなブレスレット型の本人証明具は、一般的に、病院あるいはその他の医療施設で、個々の患者によって付けられる。本人証明ブレスレットは、通常、患者の名前、部屋番号、患者の本人証明（ＩＤ）番号などの、人間の読める特定の患者本人証明情報を担持し、この本人証明情報は、ブレスレット上に直接印刷されるか、さもなければ、ブレスレットに貼付されるかあるいは適当に担持される、カード、タグあるいはラベルに加えられる。更に、人間の読める患者本人証明情報を複写したものでもよいが、選択された患者の状態情報を含んでもよいバーコード情報のような、様々な機械の読める情報を、同様にブレスレットに加えあるいは担持することができる。近年、そのような本人証明ブレスレットは、患者の本人証明、状態情報に加えて、患者の重要な病歴を受信して記憶する能力を有する、無線ＩＣタグ（ＲＦＩＤ）回路も有する。そのような本人証明ブレスレットは、非医療環境でも広範に用いられている。
【０００３】
本人証明ブレスレットによって担持される装着者関係情報と水分の接触は、人間による、あるいは自動化された手段による、情報の正確な読取りを干渉し、従って、妨げる可能性がある。この点で、いくつかのブレスレットデザインは、透明要素を有し、透明窓を通して見ることのできる装着者関係情報の上を覆い、それによっていくらかの保護を与えてきた。例えば、米国特許第４，２２１，０６３号、同第４，２８５，１４６号、同第４，３１８，２３４号、同第４，３８６，７９５号、および同第５，５８１，９２４号は、透明窓要素が下にあるバンドと協働して、印刷された、且つ窓要素を通して見ることができる装着者関係情報を有するカード、タグあるいはラベルの、スライド嵌め受け入れのための小さい溝付きポケットを構成するブレスレットを示す。しかしながら、これらのブレスレットデザインの多くは、限られた保護のみを与え、より明確に言えば、例えば、入浴中に起こるかもしれないブレスレットの浸漬による水の浸入からシールされない。
【０００４】
透明窓要素が、透明な、典型的には感圧性の接着剤層で裏塗りされた、別のブレスレット構成が提案されてきた。例えば、下にある可撓性バンド上に形成され、あるいは可撓性バンドによって担持される情報担持ゾーンあるいは領域上に接着して位置決めされる透明窓要素を示す、米国特許第３，１９７，８９９号および同第６，５４６，６５６号を参照。透明窓要素は、最初に、一端が、下にあるバンドに接着され、かくして、可動フラップからなり、可動フラップは、持ち上げられて、情報担持ゾーンを露出し、更に、情報担持ゾーンの上にある位置でバンドと接着関係に下方に移動される前に、剥離フィルムをフラップから取り除くことができる。しかしながら、情報担持ゾーンの周囲部の密封シールは、せいぜい、水の浸入に対する最小の保護をもたらす程度に制限される。更に、これらのブレスレットデザインでは、可動フラップは、特にスナップ分離あるいは切り離し分離のシート形態で複数のすぐに使えるブレスレットを生産するような、便利で経済的な製造方法とは相容れない。その上、これらのデザインの透明窓要素は、ブレスレットを装着者の腕などに接着して取付けるためのファスナー手段と組み合わされる結果、限られた固有の可変サイズ調節能力つきの複雑なブレスレット構造となる。
【０００５】
米国特許第５，７４０，６２３号は、他の変形例のブレスレット構造を記載し、該ブレスレットは、透明なプラスチックから形成され、情報担持カード、タグ、あるいはラベルのスライド嵌めの受け入れのための内ポケットを構成するチューブ状のバンドを含み、人間の腕などに巻かれた閉ループの形態を形成して保持するために、コネクタ要素が、バンドの両端への圧力嵌めの受け入れのために設けられている。このブレスレットデザインは、情報担持カードなどと接触する水分あるいはその他の液体の浸入に対する改善された密封保護を与えることができるが、チューブ状バンド構造は、固有のサイズ調節能力を提供しない。更に、チューブ状バンド構造は、また、特にスナップ分離あるいは切り離し分離のシート形態で、複数のすぐに使えるブレスレットを生産するような、便利で経済的な製造方法が不可能である。
【発明の開示】
【発明が解決しようとする課題】
【０００６】
従って、特に、透明窓要素が、マルチブレスレットシート形態で経済的な製造の助けとなる方法で下にある可撓性バンド上に取付けられた、且つ、更に、透明窓要素が、水分などとの接触から、下にある装着者関係情報を覆って、密封シールするようになっている、医療施設などで用いられるタイプの本人証明ブレスレットへの更なる改善の著しい要求がある。本発明は、これらの要求を満たし、更に関連した利点を提供する。
【課題を解決するための手段】
【０００７】
本発明によれば、人間の腕などに巻いて取付けるための改善された本人証明ブレスレットが提供され、該ブレスレットは、装着者関係情報の人間および／または機械の読取りを妨げ、あるいはこれに悪影響を及ぼすことがある、水分などとの潜在的な損傷接触から、装着者関係情報を保護するためのシール可能な窓を含む。改善されたブレスレットは、すぐに使える状態で、シートからスナップ分離を可能にするようになった多数のブレスレットを含む、便利なシート形態で、あるいは端と端を突き合わせたロール形態で、経済的な製造用に設計されている。
【０００８】
一つの好ましい形態では、本人証明ブレスレットは、直接印刷されあるいは書き込まれた情報、あるいは、カード、タグあるいはラベルに加えられた情報のような、装着者関係情報を受け入れ、且つ支持するようになっている情報担持ゾーンを含むように、耐湿性材料から構成された細長い可撓性バンドを有する。透明な、接着剤裏塗りカバーストリップは、カバーストリップの両端が、情報担持ゾーンのほぼ両端で、下にあるバンドにしっかりと接着されて、情報担持ゾーンの上にある関係をなして情報担持ゾーンに広がる。この中央窓部分は、カバーストリップ裏面の剥ぎ取り剥離フィルムなどによって、下にあるバンドから最初に分離され、あるいは、容易に分離することができる。
【０００９】
使用時、カバーストリップ中央窓部分の一端は、例えば、ほぼバンド上の情報担持ゾーンの一端の上にある位置でカバーストリップに形成されたミシン目線のような、弱線に沿ってカバーストリップを引き剥がすことによって、可撓性バンドから持ち上げて分離するようになっている。この、カバーストリップ中央窓部分の今や分離された端部は、可撓性バンドに対して持ち上げられて、装着者関係情報を受け入れるために、また、中央窓部分の裏面の剥離フィルムを剥ぎ取り除去すべく露出させるために、情報担持ゾーンを露出させることができる。次いで、中央窓部分はバンド上に下方に押圧され、該バンドとしっかり固定、シールされて接着されることができる。カバーストリップ中央窓部分および可撓性バンドは、装着者関係情報の周りに境界を定める密封シールされた周囲部を協働して構成し、その後の水分などとの接触からそのような情報を保護し、それによって、人間および／または機械手段による、信頼性のある正確な読取のために、情報を保護する。
【００１０】
本人証明ブレスレットは、人間の腕などあるいは人間と関連する物に巻かれる選択された直径サイズの閉ループ形態に細長いバンドを保持するためのファスナー手段を更に含む。１つの好ましい形態では、ファスナー手段は、参照としてここに援用する米国特許第５，５８１，９２４号に開示されているように、バンドの一端にある、バンドの他端に形成された長手方向に間隔の離れた一連のファスナーポートの１つと係合するための、スナップ嵌め係合可能なオスメス部品のような、相互係合可能なファスナー要素を、可撓性バンドの両端に、好ましくはバンドの情報担持ゾーンから独立して、含む。接着固定手段などのような代わりの固定要素を用いてもよい。
【００１１】
本発明のその他の特徴および利点は、本発明の本質を一例として図示する添付図面とともに、以下の詳細な記載からより明らかになるであろう。
【発明を実施するための最良の形態】
【００１２】
例示的な図面に示すように、全体的に参照番号１０で参照される、改良本人証明ブレスレットが、閉ループの形態（図１２）で人の腕などあるいは人と関連した物に取付けるために提供され、ブレスレット１０は、特定の人あるいは物と関連した装着者関係情報１２（図５〜９、１２）を含み、あるいは担持する。装着者関係情報１２は、人間の読める形態、および／または機械の読める形態で提供されるのがよい、また、本発明の第１の態様によれば、水分などとの接触から保護されるシール窓内に保護的に包囲されている。改良ブレスレット１０は、シート組立体あるいは形態１４（図１）で、便利で経済的な製造に適した構造を有し、該形態は、すぐに使える状態で形態１４からスナップ分離あるいは引き剥がし分離されるようになっている多数のブレスレット１０を含む。
【００１３】
情報担持本人証明ブレスレットなどは、ブレスレットが取付けられた人あるいは物に関係する、本人であることおよび／またはその他の重要な情報を証明するときに用いるために、便利で、軽量で、比較的人目につかない本人証明具が望まれる、多数の用途に広く用いられている。１つの重要な例として、そのような本人証明ブレスレットは、個々の患者を本人確認するために、病院あるいはその他の医療施設用に良く知られている。すなわち、患者名などのような装着者関係情報をブレスレットに付与し、次いで、ブレスレットを、関連した患者の腕などに取り付ける。装着者関係情報を、人間の読める手書き、タイプ、あるいは印刷形式で付与し、および／または、そのような情報を、バーコードのような機械の読める形式で、あるいは、無線ＩＣタグ（ＲＦＩＤ）デバイスのような記憶回路によって付与してもよい。機械の読める形式の使用は、本人証明ブレスレットに入力することができ、引き続いて、本人証明ブレスレットから読取ることができる、患者の医療記録および／または患者の状態情報のような情報量とタイプを有益に拡張する。
【００１４】
本発明の改良本人証明ブレスレット１０は、ブレスレットに直接付与され、さもなければ、レーザー印刷のような適当な印刷方法によって付与された、人間の読めるおよび／または機械の読める形式を含む、カード、タグ、あるいはラベル１８（図５〜９、１１〜１２）によってブレスレットに取付けられた、広範囲の装着者関係情報を有益に収容し、通常の、典型的には多くの日の使用サイクルの間ブレスレットが曝される研磨表面との潜在的に損傷をうける接触ばかりでなく、水分および、溶剤などを含むその他の液体との潜在的に損傷をうける接触から、装着者関係情報を効果的に保護する。内科患者によって用いられる本人証明ブレスレットの例では、患者は、シャワーあるいは入浴することが必要とされ、さもなければ、病院滞在および関連する治療養生の間、様々な液体にさらされる。装着者関係情報との水分接触により、書かれた情報に明瞭性を失わせ、電子記憶回路の作動を妨げることがあり、その結果、人間あるいは機械の方法による、情報の読出しを邪魔し、および／または妨げる。本発明は、経済的な製造および便利な使用に適する、およびカード、タグあるいはラベルの印刷のための既存の施設手順に適合するブレスレット構造で、水分などとの接触から装着者関係情報を保護する。図５〜９および１２に示すように、機械の読める情報は、ブレスレットに直接印刷された、あるいはカード、タグ、あるいはラベル１８に印刷されたバーコード情報、および／または、ブレスレットにあるいは変形例として、カード、タグあるいはラベル１８に取付けられたＲＦＩＤデバイスあるいはチップ１５でもよい。
【００１５】
図２〜３に概略的に示すように、本発明の各本人証明ブレスレット１０は、選択された色の、柔らかく、平滑な、非磨耗性、可撓性および軽量な、耐湿性、あるいは水分不浸透性、耐伸長性の材料から形成され、且つ上方に存在する情報担持ゾーン２２を構成するように形づくられた、単一あるいは多重、あるいは多層構造を有する、細長いストラップあるいはバンド２０からなる。１つの好ましい形態では、バンド材料は、約１０〜１２ミリ程度の総合厚さを有する接着剤結合層（図示せず）を含む、多重の耐久性プラスチックストラップからなる。情報担持ゾーン２２は、第１のバンド端２４と第２のバンド端２６との間に、長手方向に位置決めされ、バンド端の少なくとも一方は、人の腕などあるいは人に関連した物に巻かれる、選択された直径サイズの閉ループ形態（図１２）にバンドを形づくり保持するようになっている、ファスナー手段を含む。従って、バンド２０上の情報担持ゾーン２２は、そのようなファスナー手段と無関係である。
【００１６】
例示的な図面は、ここに援用される米国特許第５，５８１，９２４号に、より詳細に示され且つ記載されているように、第２のバンド端２６に形成された、長手方向に間隔をへだてた一連のファスナーポート３２の選択された１つに連結するようになったスナップ嵌め係合可能な雄ファスナー部品２８と雌ファスナー部品３０のようなファスナー手段を含む、第１のバンド端２４を示す。そのようなファスナー部品は、自己係止するように有益に設計され、ブレスレットを切断し、破壊することによってのみ、ブレスレット１０の、人の腕などからの取り外しを効果的に可能にする。当業者は、接着剤ファスナー要素および、変形例の機械的ファスナー要素のような、様々な異なるファスナー手段およびファスナー構造を用いてもよいことを理解し認識するであろう。
【００１７】
透明カバーストリップ３４が、バンドの情報担持ゾーン２２の上に延びる、あるいはかかるゾーン２２にわたる位置で、可撓性バンド２０上に取付けられる。この透明カバーストリップ３４も、軽量で、耐水性あるいは水不浸透性で、プラスチックフィルムのような、ほぼ透明な材料から形成され、好ましい形態では、透明カバーストリップ３４には感圧性接着剤のような透明接着材料の薄い層が裏塗りされている。最初の形態では、接着剤裏塗りカバーストリップ３４の両端３６と３８は、下にある情報担持ゾーン２２の両端で、それぞれ、可撓性バンド２０にしっかりと接着される。しかしながら、透明中央窓部分４０を構成するカバーストリップ３４の中央領域は、薄い紙主体の剥ぎ取り剥離フィルム４２によって最初バンドから分離され、あるいは間隔をへだてられ、かくして、バンドに接着されない。かくして、最初に構成されたままの形態では、剥ぎ取り剥離フィルム４２が、下にあるバンド２０上の情報担持ゾーン２２から中央窓部分４０を分離すると、カバーストリップ３４は、接着剤裏塗り情報担持ゾーン２２の両端でバンド２０にしっかりと連結された両端を有する。この最初に構成されたままの形態は、図１に見られるようにシート形態１４での都合のよい経済的な生産に特に適しており、この形態１４は、ほぼ横に並んだ関係で、且つブレスレットの使用を望むとき、ミシン目線４４のような、適当なブレスレット間の弱線に沿って、シート形態１４から個々にスナップ離し分離あるいは引き剥がし分離するようになっている、多数の本人証明ブレスレット１０を含む。
【００１８】
図４は、適当な装着者関係情報１２を情報担持ゾーン２２に加える準備の、本人証明ブレスレット１０の最初の操作を示す。図示するように、カバーストリップに形成されたミシン目線４８などのような前もって形成された弱線に沿って引き剥がすことによって、中央窓部分４０を、カバーストリップ３４の隣接した接着剤で固定された端３８から分離することができる。次いで、中央窓部分４０のかくして分離された端４６を、下にある情報担持ゾーン２２に対して持ち上げて、図５に示すように、窓部分４０を、カバーストリップの依然として固定されている反対側の端３６に隣接したヒンジあるいは折れ線４９を中心に、上方に効果的に回動させることができる。これにより、例えば、情報担持ゾーン上へのカード、タグ、あるいはラベル１８の配置によって、あるいは、変形例では、装着者関係情報を情報担持ゾーン２２上に直接手書きで加えることによって装着者関係情報１２を受け入れるために、情報担持ゾーン２２を露出させる。
【００１９】
窓部分４０が持ち上げられた位置にあるとき、紙主体の剥ぎ取り剥離フィルム４２は、アクセスと除去（図６〜７）を容易にするために、ほぼ露出され、それによって薄膜の透明な接着剤裏塗りを露出させる。特に、図６は、剥離フィルム４２の窓部分からの剥ぎ取り分離を示し、図７は、適当な処分のために剥ぎ取った剥離フィルム４２の除去を示す。ストリップ中央窓部分４０の引き続く下方への移動で、接着剤裏塗りの窓部分を、バンド２０の情報担持ゾーン２２上に押圧してしっかり着座させ、図１１に最も良く見られるように、接着剤の裏塗り５０を下にあるバンド２０と密接に接着係合させることができる（図８、９、１１）。重要なこととして、このゾーン２２に加えられた装着者関係情報１２は、周囲部がゾーン２２の周囲部から内方に間隔をへだてて配置されるので、情報１２の周りに境界を定める水分不浸透の密封シール周囲部が、窓部分４０と下にあるバンド２０によって協働して構成される。かくして、窓部分４０およびバンド２０は、人間および／または機械的手段によって読み出される信頼性のある正確な情報のために、装着者関係情報１８を包囲するシール可能な窓を協働して形成する。
【００２０】
当業者は、バンド２０の情報担持ゾーン２２上の装着者関係情報１２の周りに境界を定める所望の水分不浸透の密封シール周囲部を達成するために、本発明の変形形態を用いてもよいことを、理解し、認識するであろう。例えば、最初に透明中央窓部分４０の下にある感圧性接着剤と剥ぎ取り剥離フィルム４２の代わりに、ゾーン２２上への装着者関係情報１２の配置の後、下にあるバンド２０上への中央窓部分４０の加熱接着のようなその他の技術を用いてもよい。
【００２１】
かくして、使用中、ブレスレット１０は、透明な中央窓部分４０を通して見ることができる装着者関係情報１２を有する。重要なこととして、情報担持ゾーン２２上の装着者関係情報１２を密封して包囲するために、下にあるバンド２０と協働する積層要素からなるこの窓部分４０が、水分の浸入から保護する手段である。装着者関係情報の周りに境界を定める密封シール周囲部は、通常の曲げおよび情報１２と関連する人の腕などに取付けられた閉ループ形態（図１２）でのブレスレット１０の使用に適応するように、十分に可撓性である。かくして形成されたシールされた窓は、それによって、入浴およびシャワーなどの通常の活動を可能にし、水分およびその他の液体との、潜在的な損傷接触から、装着者関係情報１２を保護する。
【００２２】
図１３は、図１〜１２に示し、且つ記載したのと同様の部品を、２００だけ増した共通の参照番号で特定する、本発明の好ましい変形例を示す。図示するように、変形本人証明ブレスレット２１０は、例示的な雄スナップ嵌め部材２２８と雌スナップ嵌め部材２３０のようなファスナー部品を有する第１のバンド端２２４と、多数のファスナーポート２３２が形成された第２のバンド端２２６との間に、長手方向に位置決めされた、上方に存在する情報担持ゾーン２２２を構成するように形づくられた、細長い可撓性ストラップあるいはバンド２２０からなる。透明カバーストリップ２３４は、情報担持ゾーン２２２の上にあり、バンド２２０への貼り付けのために、薄い透明な接着剤層あるいはフィルムによって裏塗りされる。図示した形態では、カバーストリップ２３４の両端２３６および２３８は、これら接着端２３６、２３８の間に透明中央窓部分２４０を構成して、下にあるバンド２２０に接着される。紙主体の剥ぎ取り剥離フィルム２４２は、中央窓部分２４０の下に示され、接着されたストリップ端２３６に近接したヒンジ線２４９から、カバーストリップ２３４の反対側の端から短い距離間隔をへだてた位置まで延び、それによって、バンド２２０への最初の接着のための露出した接着剤を有する、反対側のストリップ端２３８を構成する。
【００２３】
使用中、カバーストリップ２３４の接着端２３８を、図１３で見られるように、下にあるバンド２２０から持ち上げて、分離することができる。これは、図１〜１２に関して、全てここで既に示し、記載したように、装着者関係情報を受け入れ支持するために、情報担持ゾーン２２２を露出させる。ゾーン２２２上への装着者関係情報の配置の後、剥離フィルム２４２を、中央窓部分２４０から分離することができ、窓部材２４０と、下にあるバンド２２０に関連したストリップ端２３８とが接着固定されシールされる。重要なこととして、窓部分２４０とカバーストリップ端２３８は、装着者関係情報の周りに境界を定める、かくして保護する密封シール周囲部を効果的に構成し、人間および／または機械のコミュニケーションのために、そのような情報を視覚的に露出する。
【００２４】
従って、図１３に示した変形例の実施形態は、また、シート形態、あるいはロール形態でのブレスレット２２０の簡易な製造のために、透明カバーストリップ２３４の両端２３６、２３８の、バンド２２０との最初の接着を提供する。
【００２５】
図１４〜１６は、図１に示したようなマルチブレスレットシート１４で、本発明の本人証明ブレスレット１０を製造するための１つの例示的な生産工程を図示するが、同様の生産工程を、図１３に示したようなブレスレット２１０の製造に用いることができることが理解されるであろう。この点において、カバーストリップ３４の両端３６、３８の両方が、例えば、接着によって下にあるバンド２０上にしっかりと固定されるブレスレット構造は、他の自由なフラップタイプ構造が早期に持ち上がって大量生産を妨げる心配なしに、様々な生産工程に有益に適応する。
【００２６】
より明確に言えば、図１４は、例えば、供給リール（図示せず）などから引き出すことによって、一連の加工ステーションに搬送される、適当なバンド形成材料の細長いウェブ１１４を示す。最初の積層ステーション６０で、適当なカバーストリップ形成材料の細長いウェブ１３４が、バンド形成材料１１４上への接着配置のために、供給リール６２から引き出される。この点において、図１５、１６は、カバーストリップ形成材料１３４を担持する供給リール６２を示す。カバーストリップ形成材料１３４は、その片側に貼り付けられ、剥ぎ取り剥離層１４２によって覆われて保護された透明接着剤フィルムを有する。この剥ぎ取り剥離層１４２は、該剥離層の両端から内方に短い距離間隔をへだてた細長い切れ目、あるいはスリット６４を含む。
【００２７】
カバーストリップ形成材料１３４は、該材料１３４を、供給リール６２から、下にあるバンド形成材料１１４上に案内し且つ押圧する適当なガイドリール６６および６８のまわりに引き出される。重要なこととして、剥離層１４２の細い縁ストリップ７０と７２が廃棄ローラ７４によって材料１３４から分離されて、材料１３４の両縁が押圧されてバンド形成材料１１４としっかりと接着係合する。全てここに既に示し記載した通り、カバーストリップ形成材料１３４のこれらの接着した両縁は、各カバーストリップ３４の両端３６、３８に相当し、剥離層１４２の残留中央部分は、剥離フィルム４２に相当する。
【００２８】
部分的に下にあるバンド形成材料１１４と上にあるカバーストリップ形成材料１３４は、積層ステーション６０から、下にある材料をミシン目４４のような隣接する弱線に沿って分離できる一連の個々のブレスレット１０の外形形状に切断するためのアウトラインダイステーション７６、および各ブレスレット１０に多数のファスナーポート３２を切断するための孔切断ステーション７８のような一連のダイカットステーションに引き出され、あるいは更に移送される。次いで、付加的なミシン目ダイステーション８０は、各カバーストリップ３４の、中央窓部分４０と接着剤で固定された一端３８との間に、ミシン目４８のような弱線を形成する。回転ダイ要素が図示されるが、非回転ダイ要素を含む、その他のタイプのダイ要素を用いてもよいことが理解されるであろう。
【００２９】
ウェブ廃棄ステーション８２は、ブレスレット１０の細長い連続体から、いかなる残留する縁材料をも分離し、すると細長い連続体は、所望のマルチブレスレットシート１４に成形することができる。
【００３０】
図１７〜１９は、本発明の個々の本人証明ブレスレット１０が、ミシン目９０のような弱線に沿って引き剥がし分離できるようになった、端と端を突き合わせた相互連結配列で生産される、変形例のマルチブレスレット構造を図示する。端と端を突き合わせたブレスレット１０は、ブレスレット１０を１つずつ都合よく引き出して分配するためのディスペンサー９４内に取付けることができる供給リール９２（図１８、１９）内に組み立てることができる。
【００３１】
生産工程および方向、すなわち、図１４に見られるように、マルチブレスレットシート形態での横並び、あるいは、図１８、１９に見られるように、マルチブレスレットロール形態での端と端の突き合わせにかかわりなく、各ブレスレット１０のカバーストリップ３４は、ブレスレットの両端３６、３８で、下にあるバンド２０にしっかりと接着されているので、生産方法あるいは方向を制限する可能性がある、および／または、生産設備を詰まらせて動かなくする可能性がある自由端フラップあるいは同様の構造がない。
【００３２】
本発明の本人証明ブレスレット１０の、様々な更なる変形および改良が、当業者に明らかであろう。従って、添付した特許請求の範囲の記載を除いて前述の記載および添付図面によって、発明について限定を意図しない。
【図面の簡単な説明】
【００３３】
【図１】各々がシール可能な窓を有し、本発明の新規な特徴により構成された複数の分離できる本人証明ブレスレットを有するシート形態の上面斜視図である。
【図２】本発明によるシール可能な窓を有し、下にある可撓性バンドに最初に接着された、接着剤裏塗り透明カバーストリップの両端を示す単一の本人証明ブレスレットの上面斜視図である。
【図３】下にある可撓性バンドから分解した関係にある、接着剤裏塗り透明カバーストリップを示す分解斜視図である。
【図４】図２と同様の上面斜視図であるが、透明カバーストリップの一端を下にある可撓性バンドから分離あるいは切断するために本人証明ブレスレットを操作するための最初のステップを示す。
【図５】保護カバーストリップが持ち上げられた位置にある、本人証明ブレスレットから分解した関係にある、本人証明カード、タグ、あるいはラベルを示す上面斜視図である。
【図６】透明カバーストリップの裏面の接着フィルムを露出するための、透明カバーストリップの裏面からの保護紙などの剥ぎ取り分離を示す更なる上面斜視図である。
【図７】カバーストリップからの剥ぎ取り分離後、処分のため剥ぎ取り保護紙などの除去を示す別の上面斜視図である。
【図８】接着剤裏塗りカバーストリップが、本人証明カード、タグあるいはラベルの上にある関係に可撓性バンド上にシール着座され、更に、カバーストリップの周辺領域が可撓性バンド上の情報担持ゾーンの周辺領域と接着剤でシール係合して、水分などとの接触から本人証明カード、タグあるいはラベルを保護するシールされた窓を構成していることを示す上面斜視図である。
【図９】図８の本人証明ブレスレットの上面図である。
【図１０】本人証明ブレスレットの底面図である。
【図１１】図９のほぼ１１−１１線での断片的な拡大垂直断面図である。
【図１２】人の腕などに巻いて取付けるために、閉ループ形態に適応した組み立てられた本人証明ブレスレットを示し、所望の直径サイズの閉ループ形態にブレスレットを保持するためのファスナーを更に示す斜視図である。
【図１３】図４と同様の断片的な上面斜視図であるが、本発明の変形例の好ましい形態を示す。
【図１４】シート形態に本人証明ブレスレットを生産するための一つの例示的な生産ライン工程を示す幾分概略的な斜視図である。
【図１５】図１４の生産工程に用いるための、接着剤裏塗り透明カバーストリップに使用される材料を担持する供給リールを示す斜視図である。
【図１６】図１５の丸で囲んだ領域１６にほぼ相当する断片的な拡大斜視図である。
【図１７】端と端を突き合わせた配列で、本発明により構成された一連の本人証明ブレスレットを示す平面図である。
【図１８】供給リール上に担持された図１７の端と端を突き合わせたブレスレットを示す。
【図１９】図１７、１８の端と端を突き合わせたブレスレットを１つずつ分配するためのディスペンサーを示す。
【図１】
2008538423.tif 000003
【図２】
2008538423.tif 000004
【図３】
2008538423.tif 000005
【図４】
2008538423.tif 000006
【図５】
2008538423.tif 000007
【図６】
2008538423.tif 000008
【図７】
2008538423.tif 000009
【図８】
2008538423.tif 000010
【図９】
2008538423.tif 000011
【図１０】
2008538423.tif 000012
【図１１】
2008538423.tif 000013
【図１２】
2008538423.tif 000014
【図１３】
2008538423.tif 000015
【図１４】
2008538423.tif 000016
【図１５】
2008538423.tif 000017
【図１６】
2008538423.tif 000018
【図１７】
2008538423.tif 000019
【図１８】
2008538423.tif 000020
【図１９】
2008538423.tif 000021
【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
第１および第２の端部を有し、且つ一方の側に情報担持ゾーンを構成する、細長い可撓性バンドと、
接着剤裏塗りの、ほぼ透明なカバーストリップと、を有し、
該ストリップは、その両端間に可撓性中央窓部分を構成し、
前記ストリップの両端は、前記中央窓部分を前記情報担持ゾーンと上にある関係に位置決めするために、最初に前記情報担持ゾーンのほぼ両端で前記バンドに接着され、
前記中央窓部分は、該中央窓部分を前記バンドに対して上方に持ち上げて装着者関係情報を受け入れるべく前記情報担持ゾーンを露出させるために、前記バンドから分離できる一端を含み、
前記窓部分は、前記情報担持ゾーンの上にある位置に移動でき、前記バンド上にあり、装着者関係情報の周りに境界を定めるシールされた周囲部を構成するために、少なくとも前記窓部分の周囲部が、前記バンドに密封接着され、
前記バンドを閉ループ形態に保持するためのファスナー手段を有する、
ことを特徴とする本人証明ブレスレット。
【請求項２】
最初に前記中央窓部分を前記バンドから分離し、それによって、前記中央窓部分の前記バンド上の前記情報担持ゾーンとの接着を防止するために、前記中央窓部分によって担持される剥ぎ取り剥離フィルムを更に含み、
前記中央窓部分が前記バンドに対して上方に持ち上げられたときに、前記剥離フィルムは、前記中央窓部分からのアクセスおよび取り外しのために露出される、請求項１に記載の本人証明ブレスレット。
【請求項３】
前記中央窓部分の前記一端は、前記窓部分の一端を前記バンドに対して上方に持ち上げるために、前記バンドに接着された前記ストリップ端のうちの一端から分離できる、請求項１に記載の本人証明ブレスレット。
【請求項４】
前記バンドと前記カバーストリップの前記中央窓部分は、ほぼ水分不浸透性材料で形成される、請求項１に記載の本人証明ブレスレット。
【請求項５】
装着者関係情報は、人間の読める情報からなる、請求項１に記載の本人証明ブレスレット。
【請求項６】
装着者関係情報は、機械の読める情報からなる、請求項１に記載の本人証明ブレスレット。
【請求項７】
装着者関係情報は、ＲＦＩＤデバイスによって担持される、請求項１に記載の本人証明ブレスレット。
【請求項８】
装着者関係情報は、バーコード情報からなる、請求項１に記載の本人証明ブレスレット。
【請求項９】
装着者関係情報は、カード、タグあるいはラベルに付与され、前記カード、タグあるいはラベルは、前記バンドの前記情報担持ゾーン上に配置するためのサイズと形状を有する、請求項１に記載の本人証明ブレスレット。
【請求項１０】
前記中央窓部分のほぼ前記一端で前記カバーストリップに形成された弱線を更に含む、請求項３に記載の本人証明ブレスレット。
【請求項１１】
前記中央窓部分のほぼ反対側の端で前記カバーストリップに形成されたヒンジ線を更に含む、請求項１に記載の本人証明ブレスレット。
【請求項１２】
前記バンドの前記情報担持ゾーンは、前記ファスナー手段から独立している、請求項１に記載の本人証明ブレスレット。
【請求項１３】
前記ファスナー手段は、ほぼ前記バンドの前記第１および第２の少なくとも一端に取付けられた、少なくとも１つのファスナー部品からなる、請求項１に記載の本人証明ブレスレット。
【請求項１４】
複数の前記本人証明ブレスレットは、シート形態に組み立てられ、前記ブレスレット間の少なくとも１本の弱線に沿って、引き剥がし分離することによって、各々、前記シート形態から分離できる、請求項１に記載の本人証明ブレスレット。
【請求項１５】
複数の前記本人証明ブレスレットは、端と端とを突き合わせて組み立てられ、前記ブレスレット間の少なくとも１本の弱線に沿って、各々分離できる、請求項１に記載の本人証明ブレスレット。
【請求項１６】
接続関係に配列された、請求項１に記載の複数の前記本人証明ブレスレットを含み、前記複数の本人証明ブレスレットの各々は、それらの間の少なくとも１本の弱線に沿って分離できるようになっている、シート形態。
【請求項１７】
端と端を突き合わせた接続関係に配列された、請求項１に記載の複数の前記本人証明ブレスレットを含み、前記複数の本人証明ブレスレットの各々は、それらの間の弱線に沿って分離できるようになっている、供給リール。
【国際調査報告】
2008538423.tif 000022